(57)【要約】      （修正有）【課題】遊技機を交換する毎に装置の取り付け作業を行うことなく遊技機の開閉部の開閉状態を検出することができる技術を提供する。【解決手段】遊技機２０に対応して配置される台間機７０には、遊技玉を遊技機２０の上皿４２に排出する玉排出ノズル７７ａが設けられている。玉排出ノズル７７ａは、玉排出口７７ｂが上皿４２の上方に配置された作動位置と遊技機２０の開閉部の開放作業の妨げにならない待機位置の間で回動可能に構成されている。また、玉排出ノズル７７ａの回動位置を検出し、開閉部が閉状態にあることを示す開閉信号あるいは開閉部が開状態にあることを示す開閉信号を出力する位置検出装置８０が設けられている。【選択図】図１
2009112639.tif 000002
【特許請求の範囲】
【請求項１】
遊技機に回動可能に設けられている開閉部の開閉状態を検出する遊技機の開閉部の開閉状態検出装置であって、
遊技機に対応して配置される台間機に設けられる回動部材および位置検出装置を備え、
前記回動部材の一方向側の回動端位置は、当該一方向側の回動端位置に前記回動部材が配置されている状態で前記開閉部が全閉位置から開方向に回動する場合に前記開閉部が前記可動部材に当接するように設定されており、
前記位置検出装置は、前記回動部材が前記一方向側の回動端位置から他方向側に設定回動量回動していない場合には前記開閉部が閉状態にあることを示す開閉信号を出力し、前記回動部材が前記一方向側の回動端位置から他方向側に設定回動量以上回動している場合には前記開閉部が開状態にあることを示す開閉信号を出力することを特徴とする遊技機の開閉部の開閉状態検出装置。
【請求項２】
請求項１に記載の遊技機の開閉部の開閉状態検出装置であって、前記回動部材の一方向側の回動端位置は、当該一方向側の回動端位置に前記回動部材が配置されている状態で、前記遊技機の基部に回動可能に設けられている第１の開閉部および当該第１の開閉部に回動可能に設けられている第２の開閉部の少なくとも一方が全閉位置から開方向に回動する場合に前記第２の開閉部が前記可動部材に当接するように設定されていることを特徴とする遊技機の開閉部の開閉状態検出装置。
【請求項３】
遊技機に回動可能に設けられている開閉部の開閉状態を検出する遊技機の開閉部の開閉状態検出装置であって、
遊技機に対応して配置される台間機に設けられる回動部材、駆動力発生装置および位置検出装置を備え、
前記駆動力発生装置は、前記回動部材を前記開閉部と当接する方向に回動させる駆動力を発生し、
前記回動部材は、前記開閉部の回動にともなって前記開閉部と当接した状態で回動するように構成されており、
前記位置検出装置は、前記回動部材が、前記開閉部が全閉位置に配置されている状態で前記回動部材が前記開閉部に当接している一方向側の回動端位置から他方向側に設定回動量回動していない場合には前記開閉部が閉状態にあることを示す開閉信号を出力し、前記回動部材が、前記開閉部が全閉位置に配置されている状態で前記回動部材が前記開閉部に当接している一方向側の回動端位置から他方向側に設定回動量以上回動している場合には前記開閉部が開状態にあることを示す開閉信号を出力することを特徴とする遊技機の開閉部の開閉状態検出装置。
【請求項４】
請求項１〜３のいずれかに記載の遊技機の開閉部の開閉状態検出装置であって、前記回動部材は、前記開閉部の回動方向と平行な方向および直交する方向の少なくとも一方の方向に回動可能に構成されていることを特徴とする遊技機の開閉部の開閉状態検出装置。
【請求項５】
請求項１〜４のいずれかに記載の遊技機の開閉部の開閉状態検出装置であって、前記回動部材は、前記遊技機に設けられている遊技玉保持部に遊技玉を排出する遊技玉排出部材であることを特徴とする遊技機の開閉部の開閉状態検出装置。
【請求項６】
請求項１〜５のいずれかに記載の遊技機の開閉部の開閉状態検出装置であって、判別装置を備え、前記判別装置は、前記遊技機が設置されている遊技店の営業時間外に、前記位置検出装置から出力される開閉信号が前記開閉部が開状態にあることを示した場合には異常処理を実行することを特徴とする遊技機の開閉部の開閉状態検出装置。
【請求項７】
回動可能に設けられている開閉部を有している遊技機に対する不正を監視する遊技機の不正監視装置であって、
前記遊技機に対応して配置される台間機に設けられる台間端末装置および遊技機の開閉部の開閉状態検出装置と、前記台間端末装置と通信可能な管理装置を備え、
前記遊技機の開閉部の開閉状態検出装置は、前記開閉部が閉状態であることあるいは開状態にあることを示す開閉信号を出力し、
前記台間端末装置は、前記遊技機の開閉部の開閉状態検出装置から出力される開閉信号を入力し、前記遊技機が設置されている遊技店の営業時間外に、前記開閉信号が前記開閉部が開状態にあることを示した場合には異常信号を前記管理装置に送信し、
前記管理装置は、前記台間端末装置から送信された異常信号を受信すると異常処理を実行し、
前記遊技機の開閉部の開閉状態検出装置として請求項１〜５のいずれかに記載の遊技機の開閉部の開閉状態検出装置が用いられていることを特徴とする遊技機の不正監視装置。
【請求項８】
回動可能に設けられている開閉部を有している遊技機に対する不正を監視する遊技機の不正監視装置であって、
前記遊技機に対応して配置される台間機に設けられる台間端末装置および遊技機の開閉部の開閉状態検出装置と、前記台間端末装置と通信可能な管理装置を備え、
前記遊技機の開閉部の開閉状態検出装置は、前記開閉部が閉状態であることあるいは開状態にあることを示す開閉信号を出力し、
前記台間端末装置は、前記遊技機の開閉部の開閉状態検出装置から出力される開閉信号を含む監視信号を前記管理装置に送信し、
前記管理装置は、前記台間端末装置から送信された監視信号を受信し、前記遊技機が設置されている遊技店の営業時間外に、前記監視信号に含まれている開閉信号が前記開閉部が開状態にあることを示した場合には異常処理を実行し、
前記遊技機の開閉部の開閉状態検出装置として請求項１〜５のいずれかに記載の遊技機の開閉部の開閉状態検出装置が用いられていることを特徴とする遊技機の不正監視装置。
【請求項９】
請求項７または８に記載の遊技機の不正監視装置であって、
前記台間端末装置は、対応する遊技機を示す遊技機識別情報を含む異常信号あるいは対応する遊技機を示す遊技機識別情報を含む監視信号を前記管理装置に送信し、
前記管理装置は、前記異常処理において、前記異常信号に含まれている遊技機識別情報あるいは前記開閉部が開状態にあることを示している開閉信号を含む監視信号に含まれている遊技機識別情報を履歴情報として記憶することを特徴とする遊技機の不正監視装置。
【発明の詳細な説明】
【技術分野】
【０００１】
本発明は、遊技機の開閉部の開閉状態を検出する技術および遊技機の開閉部が不正に開放されたことを監視する技術に関する。
【背景技術】
【０００２】
遊技機には、保守・点検作業や調整作業等を行うために開閉部が設けられている。例えば、パチンコ機では、遊技盤の後側（反遊技者側）に配置されている各種の制御基板の保守・点検作業等を行うために、遊技盤が取り付けられている本体枠が、島枠に取り付けられている基枠に対して回動可能に設けられている。また、遊技盤に設けられている遊技領域に配置されている釘等に詰まった遊技玉を取り除く作業や釘の調整作業等を行うために、遊技盤の前側（遊技者側）に配置されるガラス板が取り付けられているガラス枠が本体枠に回動可能に設けられている。このような遊技機では、開閉部が不正に開放されて不正行為が行われることがある。このため、従来、特許文献１に示されているように、開閉部の開閉状態を検出する開閉検出装置が遊技機に設けられている。この開閉検出装置は、機械式スイッチ、光学式スイッチ、ＩＣタグとＩＣタグリーダ等により構成されている。
【特許文献１】特開２００５−７３７７５号公報
【発明の開示】
【発明が解決しようとする課題】
【０００３】
特許文献１に示されているように遊技機の開閉部の開閉状態を検出する開閉検出装置を遊技機に設ける場合には、遊技機を交換する毎に開閉検出装置を取り付ける作業が必要となる。一般的に、遊技店における遊技機の交換頻度は高いため、開閉検出装置を遊技機に取り付ける作業を行う回数も多い。
本発明は、このような点に鑑みて創案されたものであり、遊技機の交換毎に開閉検出装置を取り付ける作業を必要とすることなく遊技機の開閉部の開閉状態を検出することができる開閉状態検出技術および遊技機の開閉部の不正開放を監視することができる不正監視技術を提供することを目的とする。
【課題を解決するための手段】
【０００４】
本発明の第１発明は、遊技機に回動可能に設けられている開閉部の開閉状態を検出する遊技機の開閉部の開閉状態検出装置である。
開閉部には、遊技機に設けられている種々の構成の開閉部が包含される。開閉部は全閉位置と全開位置の間で開方向および閉方向に回動可能である。一般的には、全閉位置として施錠位置が設定され、全開位置としてストッパによって定まる位置や回動機構の構成によって定まる位置が設定される。複数の開閉部が設けられている場合には、複数の開閉部によって構成される一つの開閉部の開閉状態を検出可能に構成するのが好ましい。勿論、個々の開閉部の開閉状態を検出可能に構成することもできる。
そして、本発明は、遊技機に対応して配置される台間機に設けられる回動部材および位置検出装置を備えている。なお、台間機は、遊技機に対応して配置されていればよく、必ずしも遊技機の間に配置されている必要はない。遊技機に対応して配置される台間機には、例えば、遊技機の機種に関係なく使用可能である、遊技機に対応して配置される玉貸処理機能を有する台間機（台間玉貸機）等が包含される。
回動部材の回動方向の一方向側の回動端位置は、一方向側の回動端位置に回動部材が配置されている状態で開閉部が全閉位置から開方向に回動する場合に、開閉部が一方向側の回動端位置から保守・点検作業等の妨げにならない作業開度量回動する前に開閉部が可動部材に当接するように設定されている。また、回転部材の回動方向の他方向側の回動端位置は、当該他方向側の回動端位置に回動部材が配置されている状態で開閉部が全閉位置から開方向に回動する場合に、開閉部が一方向側の回動端位置から作業開度量以上回動するまで開閉部が回動部材に当接しないように設定される。好適には、他方向側の回動端位置に配置されている回動部材が開閉部と当接する前に、ストッパ等によって開閉部の開方向側への回動が規制されるように構成される。
本発明の回動部材が一方向側の回動端位置（一方向側の回動端位置の近傍を含む）に配置されている場合には、開閉部を全閉位置から開方向に作業開度量回動させるためには回動部材を他方向側に回動させる必要がある。すなわち、通常時（例えば、開閉部の開放状態を検出する時）に回動部材を一方向側の回動端位置（一方向側の回動端位置の近傍を含む）に配置しておくことにより、回動部材の回動位置に基づいて開閉部の開閉状態（好ましくは、開状態）を検出することができる。
位置検出装置は、回動部材の位置を検出し、開閉部の開閉状態を示す開閉信号を出力する。すなわち、位置検出装置は、回動部材が回動方向の一方向側の回動端位置から他方向側に設定回動量回動していないことを検出している場合には開閉部が閉状態にあることを示す開閉信号を出力し、回動部材が回動方向の一方向側の回動端位置から他方向側に設定回動量以上回動していることを検出した場合には開閉部が開状態にあることを示す開閉信号を出力する。位置検出装置から出力される、開閉部が開状態にあることを示す開閉検出信号は、開閉部が開状態にあることを直接的に示すものではないが、開閉部が開操作されることが殆どない時間帯（例えば、保守・点検作業等が行われない営業時間外の時間帯）においては、開閉部が開状態となったあるいは開状態となる虞が高いことを示すものとなる。回動方向の一方向側の回動端位置からの設定回動量としては、開閉部が開状態にあることを示す開閉信号の所望の出力特性に対応して適宜設定される。位置検出装置の検出方式としては、機械式、電気式、光学式、磁気式等の種々の方式を用いることができる。
本発明では、遊技機に比べて交換頻度が少ない、遊技機に対応して配置される台間機に設けた回動部材と位置検出装置によって遊技機の開閉部の開閉状態検出装置を構成しているため、遊技機を交換する毎に装置の取り付け作業を必要とすることなく遊技機の開閉部の開閉状態（好適には、開状態）を検出することができる。
【０００５】
遊技機として、第１の開閉部と第２の開閉部を有し、第２の開閉部が第１の開閉部に回動可能に設けられている遊技機が用いられることがある。例えば、島枠に取り付けられる基枠に回動可能に設けられ、後側（反遊技者側）に種々の制御基板を有する遊技盤が取り付けられている本体枠と、本体枠に回動可能に設けられ、本体枠に取り付けられている遊技盤の前側（遊技者側）を覆うガラス板が取り付けられているガラス枠を開閉部として有している遊技機が用いられることがある。この場合、開閉部の全閉位置としては、第１の開閉部の全閉位置と第２の開閉部の全閉位置が設定される。例えば、本体枠が基枠と施錠される本体枠施錠位置が本体枠の全閉位置として設定され、ガラス枠が本体枠と施錠されるガラス枠施錠位置がガラス枠の全閉位置として設定される。このような遊技機では、第１の開閉部の開閉状態（好適には、開状態）と第２の開閉部の開閉状態（好適には、開状態）を検出するのが好ましい。ここで、第２の開閉部の遊技機上における位置（例えば、固定されている基枠に対する位置）は、第２の開閉部が全閉位置から開方向に回動された場合は勿論、第１の開閉部が全閉位置から開方向に回動された場合にも変化する。すなわち、第２の開閉部の遊技機上における位置は、第１の開閉部と第２の開閉部によって構成される一つの開閉部の開閉状態に対応している。
本発明の第２発明では、回動部材の一方向側の回動端位置は、当該一方向側の回動端位置に回動部材が配置されている状態で、遊技機の基部に回動可能に設けられている第１の開閉部および当該第１の開閉部に回動可能に設けられている第２の開閉部の少なくとも一方が全閉位置から開方向に回動する場合に第２の開閉部が可動部材に当接するように設定されている。
遊技機の基部としては、例えば、島枠に取り付けられる基枠が用いられる。「遊技機の基部に回動可能に設けられている第１の開閉部および当該第１の開閉部に回動可能に設けられている第２の開閉部の少なくとも一方が全閉位置から開方向に回動する場合」には、「第１の開閉部がその全閉位置から開方向に回動する場合」、「第２の開閉部がその全閉位置から開方向に回動する場合」、「第１の開閉部がその全閉位置から開方向に回動するとともに第２の開閉部がその全閉位置から開方向に回動する場合」が包含される。
本発明では、回動部材の位置を検出することによって、遊技機に設けられている第１の開閉部材および第２の開閉部材の少なくとも一方の開閉状態を検出することができる。
【０００６】
本発明の第３発明は、第１発明と同様に、遊技機に回動可能に設けられている開閉部の開閉状態を検出する遊技機の開閉部の開閉状態検出装置である。
本発明では、遊技機に対応して配置される台間機に設けられる回動部材、駆動力発生装置および位置検出装置を備えている。
駆動力発生装置は、回動部材を開閉部と当接する方向に回動させる駆動力を発生する。駆動力発生手段は、例えば、ばねの弾性力を、回動部材を開閉部と当接する方向に回動させる駆動力として発生するように構成することができる。駆動力発生装置から発生する駆動力は、回動部材が開閉部に当接した状態で開閉部を手動によって開方向および閉方向に回動させることができるように設定される。これにより、開閉部が開方向に回動する場合には、回動部材は開閉部とともに駆動力に抗する方向に回動し、開閉部が閉方向に回動する場合には、開閉部に当接するように駆動力の作用方向に回動する。
位置検出装置は、開閉部の開閉状態を示す開閉信号を出力する。すなわち、位置検出装置は、回動部材が、全閉位置に配置されている開閉部に回動部材が当接している、前記回動部材の回動方向の一方向側の回動端位置から他方向側に設定回動量回動していないことを検出している場合には開閉部が閉状態にあることを示す開閉信号を出力し、回動部材が、全閉位置に配置されている開閉部に回動部材が当接している、前記回動部材の回動方向の一方向側の回動端位置から他方向側に設定回動量以上回動していることを検出した場合には開閉部が開状態にあることを示す開閉信号を出力する。本発明では、位置検出装置から出力される、開閉部が開状態にあることを示す開閉検出信号は、開閉部が開状態あることを直接的に示している。回動方向の一方向側の回動端位置からの設定回動量は適宜設定される。
なお、本発明は、第２発明のように、基部に回動可能に設けられている第１の開閉部および当該第１の開閉部に回動可能に設けられている第２の開閉部を有する遊技機に適用することもできる。この場合には、位置検出装置は、「前記回動部材が、前記遊技機の基部に回動可能に設けられている第１の開閉部および当該第１の開閉部に回動可能に設けられている第２の開閉部それぞれが全閉位置に配置されている状態で前記回動部材が前記第２の開閉部に当接している、前記回動部材の回動方向の一方向側の回動端位置から他方向側に設定回動量回動していないことを検出している場合には開閉部が閉状態にあることを示す開閉信号を出力し、前記回動部材が、前記遊技機の基部に回動可能に設けられている第１の開閉部および当該第１の開閉部に回動可能に設けられている第２の開閉部それぞれが全閉位置に配置されている状態で前記回動部材が前記第２の開閉部に当接している、前記回動部材の回動方向の一方向側の回動端位置から他方向側に設定回動量以上回動していることを検出した場合には開閉部が開状態にあることを示す開閉信号を出力する」ように構成される。
本発明では、第１発明と同様に、遊技機を交換する毎に装置の取り付け作業を必要とすることなく遊技機の開閉部の開閉状態を検出することができる。また、本発明では、回動部材が遊技機の開閉部の回動に連動して回動するため、開閉部の開閉状態（好適には、開状態）を確実に検出することができる。さらに、回動部材を手動で回動させる操作が不要となる。
【０００７】
第４発明では、回動部材の回動方向が、開閉部の回動方向と平行な方向および直交する方向の少なくとも一方の方向に設定されている。なお、本発明では、「平行な方向」および「直交する方向」という記載は、「略平行な方向」および「略直交する方向」を含むものとして用いられている。
「回動部材の回動方向が、開閉部の回動方向と平行な方向および直交する方向の少なくとも一方の方向に設定されている」構成には、「回動部材を開閉部の回動方向と平行な方向に回動可能に構成する」態様、「回動部材を開閉部の回動方向と直交する方向に回動可能に構成する」態様、「回動部材を開閉部の回動方向と平行な方向および直交する方向に回動可能に構成する」態様が包含される。「回動部材を開閉部の回動方向と平行な方向および直交する方向に回動可能に構成する」態様を用いる場合には、位置検出装置は、平行な方向および直交する方向のうちの一方の方向における回動部材の回動を検出するように構成することができる。
本発明では、回動部材の回動方向を開閉部の回動方向と平行な方向や直交する方向に設定しているため、回動部材の回動機構や位置検出装置として簡単な構成の回動機構や位置検出装置を用いることができる。
【０００８】
第５発明では、回動部材として、台間機から遊技機に設けられている遊技玉保持部に遊技玉を排出する遊技玉排出部材を用いている。遊技玉排出部材から遊技玉が排出される遊技玉保持部としては、典型的には上皿が用いられる。
本発明では、遊技機に対応して配置されている玉貸処理機能を有する台間機（台間玉貸機）の遊技玉排出部材を、遊技機の開閉部の開閉状態を検出するための回動部材として用いることができる。これにより、遊技玉排出部材の回動位置を検出する位置検出装置を設けることによって、既存の台間玉貸機を有効に利用することができる。
【０００９】
第６発明では、判別装置を備えている。この判別装置は、遊技店の営業時間外の時間帯に、開閉部が開状態にあることを示している開閉信号が位置検出装置から出力されたことを判別した場合には異常処理を実行する。判別装置は、位置検出装置が兼用することもできる。異常処理としては、例えば、異常判別信号を送信する処理や異常履歴情報を記憶する処理等を用いることができる。
遊技店の営業時間外の時間帯としては、遊技店の営業終了時間から営業開始時間までの間の時間帯を設定することができるが、営業終了後の保守・点検作業等が行われてから営業開始前の保守・点検作業が開始される前の間の時間帯（例えば、遊技機への電源の供給が停止されている時間帯）を設定するのが好ましい。遊技店の営業時間外の時間帯に、開閉部が開状態にあることを示している開閉信号が位置検出装置から出力されたことを判別する態様としては、例えば、開閉部が開状態にあることを示している開閉信号が出力されたことを判別した後に、遊技店の営業時間外の時間帯であることを判別する態様や、遊技店の営業時間外の時間帯であることを判別した後に、開閉部が開状態にあることを示している開閉信号が位置検出装置から出力されたことを判別する態様を用いることができる。異常判別信号の送信先としては、ホールコンピュータ等の管理装置、監視カメラを駆動する監視カメラ駆動装置、遊技機に対応して配置されている呼出ランプ、警備会社、遊技店の係員等を適宜選択することができる。遊技店の係員等は、異常判別信号を受信することにより、営業時間外の時間帯に遊技機の開閉部が不正に開放された虞があることを認識することができ、不正行為に対する適切な対処法を検討することができる。
本発明では、遊技店の営業時間外に遊技機の開閉部が開放される虞あるいは開放された虞があることを検出することができるため、遊技機に対する不正行為を防止することができる。
【００１０】
本発明の第７発明は、回動可能に設けられている開閉部を有している遊技機に対する不正を監視する遊技機の不正監視装置である。
本発明は、遊技機に対応して配置される台間機に設けられる台間端末装置および遊技機の開閉部の開閉状態検出装置と、台間端末装置と通信可能な管理装置を備えている。
遊技機の開閉部の開閉状態検出装置は、遊技機の開閉部が開状態あるいは閉状態にあることを示す開閉信号を出力する。この遊技機の開閉部の開閉状態検出装置としては、前述した第１発明〜第５発明の遊技機の開閉部の開閉状態検出装置を用いることができる。
台間端末装置は、遊技機の開閉部の開閉状態検出装置から出力される開閉信号を入力し、遊技店の営業時間外の時間帯に、開閉信号が開閉部が開状態にあることを示したか否かを判別する。そして、遊技店の営業時間外の時間帯に、開閉信号が開閉部が開状態にあることを示したことを判別した場合には、異常信号を管理装置に送信する。遊技店の営業時間外の時間帯に、開閉信号が開閉部が開状態にあることを示したことを判別する態様としては、例えば、遊技店の営業時間外の時間帯であることを判別した後に、開閉信号が開閉部が開状態にあることを示していることを判別する態様や、開閉信号が開閉部が開状態にあることを示したことを判別した後に、遊技店の営業時間外の時間帯であることを判別する態様を用いることができる。
管理装置は、台間端末装置から異常信号を受信すると異常処理を実行する。異常処理としては、例えば、異常判別信号をホールコンピュータ等の管理装置、監視カメラを駆動する監視カメラ駆動装置、遊技機に対応して配置されている呼出ランプ、警備会社、遊技店の係員等に送信する処理を用いることができる。遊技店の係員等は、異常判別信号の受信、呼出ランプの点灯、管理装置の表示装置への異常表示等によって、営業時間外の時間帯に遊技機の開閉部が不正に開放された虞があることを認識し、不正行為に対して適切な対処法を検討する。
本発明では、遊技機に比べて交換頻度が少ない、遊技機に対応して配置される台間機に設けた回動部材と位置検出装置によって遊技機の開閉部の開閉状態検出装置を構成しているため、遊技機を交換する毎に装置の取り付け作業を必要とすることなく遊技機の開閉部が営業時間外の時間帯に不正に開放されるあるいは不正に開放された虞があることを監視することができる。
【００１１】
本発明の第８発明は、第７発明と同様に、回動可能に設けられている開閉部を有している遊技機に対する不正を監視する遊技機の不正監視装置である。
本発明は、遊技機に対応して配置される台間機に設けられる台間端末装置および遊技機の開閉部の開閉状態検出装置と、台間端末装置と通信可能な管理装置を備えている。
遊技機の開閉部の開閉状態検出装置は、遊技機の開閉部が開状態あるいは閉状態にあることを示す開閉信号を出力する。この遊技機の開閉部の開閉状態検出装置としては、前述した第１発明〜第５発明の遊技機の開閉部の開閉状態検出装置を用いることができる。
台間端末装置は、遊技機の開閉部の開閉状態検出装置から出力される開閉信号を含む監視信号を管理装置に送信する。
管理装置は、台間端末装置から送信された監視信号を受信し、遊技店の営業時間外の時間帯に、監視信号に含まれている開閉信号が開閉部が開状態にあることを示したか否かを判別する。そして、遊技店の営業時間外の時間帯に、監視信号に含まれている開閉信号が開閉部が開状態にあることを示した場合には異常処理を実行する。遊技店の営業時間外の時間帯に、監視信号に含まれている開閉信号が開閉部が開状態にあることを判別する態様としては、例えば、遊技店の営業時間外の時間帯であることを判別した後に、監視信号に含まれている開閉信号が開閉部が開状態にあることを示していることを判別する態様や、監視信号に含まれている開閉信号が開閉部が開状態にあることを示したことを判別した後に、遊技店の営業時間外の時間帯であることを判別する態様を用いることができる。異常処理としては、例えば、前述した処理を用いることができる。
本発明では、第７発明と同様に、遊技機を交換する毎に装置の取り付け作業を必要とすることなく遊技機の開閉部が営業時間外の時間帯に不正に開放されるあるいは不正に開放された虞があることを監視することができる。
【００１２】
第９発明では、台間端末装置は、対応する遊技機を示す遊技機識別情報を含む異常信号あるいは対応する遊技機を示す遊技機識別情報を含む監視信号を管理装置に送信する。そして、管理装置は、異常処理において、異常信号に含まれている遊技機識別情報あるいは営業時間外の時間帯に開閉部が開状態にあることを示した開閉信号を含む監視信号に含まれている遊技機識別情報を履歴情報として記憶する。すなわち、営業時間外の時間帯に、開閉信号が開閉部が開状態にあることを示した遊技機を示す遊技機識別情報を履歴情報として記憶する。
遊技機識別情報としては、遊技機を識別することができる種々の情報を用いることができる、例えば、遊技店内での配置位置を示す台番号を用いることができる。履歴情報としては、遊技機識別情報の外にも種々の情報を記憶することができる。例えば、開閉信号が開閉部が開状態にあることを示した時刻（例えば、台間端末装置から異常信号や監視信号を出力した時刻あるいは異常信号や監視信号を管理装置で受信した時刻）を示す時刻情報、遊技機が設置されている遊技店を示す遊技店識別情報等を履歴情報として記憶することができる。
なお、台間端末装置が複数の遊技機に対して共通に設けられている場合には、台間端末装置は、複数の遊技機それぞれに対応する台間端末装置に対応する。
本発明では、営業時間外の時間帯に、開閉信号が開閉部が開状態にあることを示した遊技機を示す遊技機識別情報を履歴情報として記憶するため、営業時間外の時間帯に不正行為が行われた虞がある遊技機を容易に判別することができる。
【発明の効果】
【００１３】
請求項１〜６に記載の遊技機の開閉部の開閉状態検出装置を用いれば、遊技機の交換毎に装置を取り付ける作業を必要とすることなく遊技機の開閉部の開閉状態を検出することができる。また、請求項７〜９に記載の遊技機の監視装置を用いれば、遊技機の交換毎に装置を取り付ける作業を必要とすることなく遊技機の開閉部の不正開放を監視することができる。
【発明を実施するための最良の形態】
【００１４】
以下に、本発明の実施の形態を図面を参照して説明する。以下で示す実施の形態は、本発明を遊技機の一種であるパチンコ機の開閉部の開閉状態を検出する遊技機の開閉部の開閉状態検出装置および開閉部の不正開放を監視する遊技機の不正監視装置として構成したものである。
図１は、本発明の遊技機の開閉部の開閉状態検出装置の一実施の形態および本発明の遊技機の不正監視装置の一実施の形態の概略構成を示す図であり、図２は、遊技機の一例の斜視図である。
遊技機（パチンコ機）２０は、図１および図２に示されているように、遊技店の島枠１０に取り付けられる基枠３０と、基枠３０に回動可能に取り付けられる本体枠４０と、体枠３に回動可能に取り付けられるガラス枠６０を有している。通常、本体枠５０は、表側（遊技者側）から見て（図２参照）、左側の垂直方向の回動軸Ｐ１を中心に水平方向に回動可能に基枠４０に取り付けられ、ガラス枠６０は、表側から見て左側の垂直方向の回動軸Ｐ２を中心に水平方向に回動可能に本体枠４０に取り付けられる。本体枠４０が回動軸Ｐ１を中心に反時計方向に回動して、本体枠４０と基枠３０が施錠された位置（本体枠施錠位置）が本体枠５０の全閉位置として設定される。本体枠４０の時計方向の全開位置は、ストッパや回動機構の構成等によって設定される。また、ガラス枠６０が回動軸Ｐ２を中心に反時計方向に回動して、ガラス枠６０と本体枠４０が施錠された位置（ガラス枠施錠位置）がガラス枠６０の全閉位置として設定される。ガラス枠６０の時計方向の全開位置は、ストッパや回動機構の構成等によって設定される。
本体枠４０には、遊技盤５０が着脱自在に取り付けられている。遊技盤５０の表側（遊技者側）には、ガイドレール５１によって遊技領域５２が形成されている。遊技領域５２には、普通図柄始動装置５３、特別図柄始動入賞装置５４、大入賞装置５５、表示装置（液晶表示装置）５６等が設けられている。普通図柄始動装置５３は、遊技玉が始動ゲートを通過したことを検出する普通図柄始動玉検出装置５３ａを有している。特別図柄始動入賞装置５４は、始動入賞口と、始動入賞口を開閉する始動入賞口開閉部材５４ａと、遊技玉が始動入賞口に入賞したことを検出する始動入賞玉検出装置５４ｂを有している。大入賞装置５５は、大入賞口と、大入賞口を開閉する大入賞口開閉部材５５ａと、遊技玉が大入賞口に入賞したことを検出する大入賞玉検出装置５５ｂを有している。遊技盤５０の裏側（反遊技者側）には、種々の制御基板等が取り付けられている。
また、本体枠４０には、遊技玉を保持する上皿４２および下皿４３、発射ハンドル４１が設けられている。発射ハンドル４１が操作されると、上皿４２に保持されている遊技玉が遊技領域５２に発射される。
また、島枠１０には、遊技機２０に対応して呼出ランプ１１が設けられている。
【００１５】
本体枠４０、ガラス枠６０が、本発明の「遊技機に回動可能に設けられている開閉部」に対応する。また、基枠３０、本体枠４０、ガラス枠６０が、それぞれ本発明の「基部」、「基部に回動可能に設けられている第１の開閉部」、「第１の開閉部に回動可能に設けられている第２の開閉部」に対応する。また、本体枠４０が基枠３０の回動軸Ｐ１を中心に一方向（反時計方向）に回動して本体枠４０と基枠３０が施錠された本体枠施錠位置、ガラス枠６０が本体枠４０の回動軸Ｐ２を中心に一方向（反時計方向）に回動してガラス枠６０と本体枠４０が施錠されたガラス枠施錠位置が、本発明の「開閉部の全閉位置」（あるいは、それぞれ「第１の開閉部の全閉位置」、「第２の開閉部の全閉位置」）に対応する。また、本体枠４０、ガラス枠６０の回動軸Ｐ１、Ｐ２を中心とする回動方向の一方向（反時計方向）が本発明の「開閉部の閉方向」（あるいは「第１の開閉部の閉方向」、「第２の開閉部の閉方向」）に対応し、回動方向の他方向（時計方向）が本発明の「開閉部の開方向」（あるいは「第１の開閉部の開方向」、「第２の開閉部の開方向」）に対応する。
【００１６】
島枠１０には、遊技機２０に対応する台間機７０が遊技機２０に隣接して配置されている。図１では、台間機７０は、対応する遊技機２０の左側に配置されている。台間機７０は、玉貸処理および遊技機２０の遊技情報を管理装置１００に送信する処理を実行する。
台間機７０は、台間端末装置７１、紙幣検出装置７２、硬貨検出装置７３、カード情報読取／書込装置７４、入力装置７５、表示装置７６、排出装置７７、玉排出ノズル７７ａ、位置検出装置８０等を有している。
紙幣検出装置７２は、紙幣投入口７２ａに投入された紙幣の金額を検出する。硬貨検出装置７３は、硬貨投入口７３ａに投入された硬貨の金額を検出する。カード情報読取／書込装置７４は、カード挿入口７４ａに挿入された会員カードやプリペイドカードに記憶されている情報を読み取りあるいは情報を書き込む。入力装置７５は、玉貸ボタン等の入力キーを有しており、種々の情報を入力する。表示装置７６は、ＬＥＤや液晶表示装置等を有し、種々の情報を表示する。入力装置７５としては、表示装置７６の表示部をタッチするタッチセンサを用いることもできる。
【００１７】
玉排出ノズル７７ａは、垂直方向（図１では上下方向）の回動軸Ｐ３（図３、図４参照）を中心に水平方向（図１では左右方向）に回動可能に構成されているとともに、長手方向の一方端側の開口部から他方端側（先端側）の玉排出口７７ｂに延びる玉誘導路（図示省略）が形成されている。玉排出ノズル７７ａは、回動軸Ｐ３を中心に回動方向の一方向側（反時計方向側）に回動した回動端位置（一方向側の回動端位置）に配置された場合（図１に示されている状態）には、玉排出口７７ｂが、台間機７０に対応する遊技機２０の上皿４２の上方に配置されるように構成されている。玉排出ノズル７７ａが回動方向の一方向側の回動端位置に配置されている場合には、本体枠４０とガラス枠６０により構成される開閉部が全閉位置（本体枠４０およびガラス枠６０が全閉位置に配置されている位置）から保守・点検作業等のために必要な作業開度量回動する（本体枠４０の全閉位置からの回動量とガラス枠６０の全閉位置からの回動量の和が作業開度量に一致する）前に、ガラス枠６０が玉排出ノズル７７ａに当接する。また、玉排出ノズル７７ａは、回動軸Ｐ３を回動中心に回動方向の他方向側に回動した回動端位置（他方向側の回動端位置）に配置された場合には、本体枠４０とガラス枠６０により構成される開閉部が全閉位置（本体枠４０およびガラス枠６０が全閉位置に配置されている位置）から保守・点検作業等のために必要な作業開度量回動する（本体枠４０の全閉位置からの回動量とガラス枠６０の全閉位置からの回動量の和が作業開度量に一致する）までの間にガラス枠６０が玉排出ノズル７７ａに当接しないように構成されている。好適には、玉排出ノズル７７ａが他方向側の回動端位置に配置された場合には、本体枠４０あるいはガラス枠６０が玉排出ノズル７７ａに当接する前にストッパ等によって開方向への回動が規制されるように構成される。
排出装置７７は、指示された数の遊技玉を玉排出ノズル７７ａの一方端側の開口部に流す。この時、玉排出ノズル７７ａが一方向側の回動端位置に配置されていれば、遊技玉は、玉排出ノズル７７ａに形成されている玉誘導路および玉排出口７７ｂを介して遊技機２０の上皿４２に誘導（排出）される。
位置検出装置８０は、玉排出ノズル７７ａの回動位置を検出し、本体枠４０とガラス枠６０により構成される開閉部の開閉状態を示す開閉信号を出力する。位置検出装置８０の構成については後述する。
本実施の形態では、遊技機２０の上皿４２が本発明の「遊技玉保持部」に対応し、台間機７０の玉排出ノズル７７ａが本発明の「回動部材」あるいは「遊技玉排出部材」に対応し、玉排出ノズル７７ａの玉排出口７７ｂが上皿４２上に配置される一方向側の回動端位置が本発明の「一方向側の回動端位置」に対応し、他方向側の回動端位置が本発明の「他方向側の回動端位置」に対応し、位置検出装置８０が本発明の「位置検出装置」に対応する。
【００１８】
台間端末装置７１は、紙幣検出装置７２によって検出した紙幣投入口７２ａに投入された紙幣の金額、硬貨検出装置７３によって検出した硬貨投入口７３ａに投入された硬貨の金額、カード情報読取／書込装置７４によって検出したカード挿入口７４ａに挿入されたプリペイドカードに記憶されている預入金と、入力装置７５の玉貸ボタンの操作に基づいて、玉貸ボタンの操作によって指示された数を示す排出制御信号を排出装置７７に出力する。これにより、指示された数の遊技玉が玉排出ノズル７７ａの玉排出口７７ｂから遊技機２０の上皿４２に排出される。また、台間端末装置７１は、プリペイドカードに記憶されている預入金を書き替える処理や残金を返却する処理を行う。なお、カード挿入口７４ａに挿入された会員カードに記憶されている会員識別情報に対応して遊技情報データベースに記憶されている貯玉数と入力装置７５の再プレイボタンの操作に基づいて、再プレイボタンによって指示された数の遊技玉を排出可能に構成することもできる。貯玉は、遊技者が預けた遊技玉であり、翌日以降に引き出して再プレイすることができる。
また、台間端末装置７１は、台間機７０に対応する遊技機２０の遊技情報、位置検出装置８０から出力される開閉信号あるいは異常信号等を管理装置１００（図５参照）に送信する。
なお、開閉信号あるいは異常信号を管理装置１００に送信する送信処理を実行する台間端末装置が複数の遊技機に対応させて設けられることがある。この場合には、台間端末装置は、複数の遊技機それぞれに対応する台間端末装置である。
【００１９】
本実施の形態で用いられている位置検出装置８０の構成および動作を、図３および図４を参照して説明する。なお、図３は、本実施の形態の遊技機の開閉部（本体枠４０とガラス枠６０により構成される）の開閉状態検出装置を説明する図である。また、図４は、本実施の形態の遊技機の開閉部の開閉状態検出装置で用いている位置検出装置８０の構成を示す図である。
遊技機２０の本体枠４０は、基枠３０に対して、基枠３０の左側の垂直方向（図３では紙面に垂直方向）の回動軸Ｐ１を中心に開方向（図３では時計方向）および閉方向（図３では反時計方向）に回動可能である。本体枠４０の閉方向への回動は、図３に実線で示されている、本体枠４０と基枠３０が施錠される全閉位置（本体枠施錠位置）で規制される。すなわち、本体枠４０は、本体枠４０と基枠３０が施錠される全閉位置から開方向に回動可能に構成されている。図３には、本体枠４０が、全閉位置から開方向に回動量θ１だけ回動した位置に配置されている状態が長い破線で示されている。
また、ガラス枠６０は、本体枠４０に対して、本体枠４０の左側の垂直方向（図３では紙面に垂直方向）の回動軸Ｐ２を中心に開方向（図３では時計方向）および閉方向（図３では反時計方向）に回動可能である。ガラス枠６０の閉方向への回動は、図３に短い破線および長い破線で示されている、ガラス枠６０と本体枠４０が施錠される全閉位置（ガラス枠施錠位置）で規制される。すなわち、ガラス枠４０は、ガラス枠６０と本体枠４０が施錠される全閉位置から開方向に回動可能に構成されている。このため、ガラス枠６０の遊技機上における位置（基枠３０に対する位置）、すなわち、図３に短い破線で示されている、本体枠４０およびガラス枠６０が全閉位置に配置されている位置からの回動位置は、ガラス枠６０の全閉位置からの回動量だけでなく、本体枠４０の全閉位置からの回動量によっても変化する。図３には、本体枠４０が全閉位置に配置されている状態で、ガラス枠６０が全閉位置から開方向に回動量θ２ａだけ回動した位置に配置されている状態が一点鎖線で示されている。また、本体枠４０が全閉位置から開方向に回動量θ１だけ回動した位置に配置されている状態で、ガラス枠６０が全閉位置から開方向に回動量θ２ｂだけ回動した位置に配置されている状態が二点鎖線で示されている。
以上のように、基枠３０に対して回動可能な本体枠４０と、本体枠４０に対して回動可能なガラス枠６０により構成される開閉部として有している場合には、開閉部の回動量は、本体枠４０の全閉位置からの回動量とガラス枠６０の全閉位置からの回動量の和となる。例えば、一点差線で示されている場合（ガラス枠６０のみが開方向に回動されている場合）には、開閉部の回動量はθ２ａであり、長い破線で示されている場合（本体枠４０のみが開方向に回動されている場合）には、開閉部の回動量はθ１であり、二点鎖線で示されている場合（本体枠４０およびガラス枠６０が開方向に回動されている場合）には、開閉部の回動量は（θ１＋θ２ｂ）である。言い換えれば、ガラス枠６０の遊技機２０上における位置（基枠３０に対する回動位置）が、本体枠４０とガラス枠６０により構成される開閉部の回動量を表している。
【００２０】
台間機７０の玉排出ノズル７７ａは、垂直方向（図３では、紙面に垂直方向）の回動軸Ｐ３を中心に回動方向の一方向側（図３では反時計方向側）の回動端位置（玉排出口７７ｂが上皿４２の上方に配置される位置）と他方向側（図３では時計方向側）の回動端位置の間で回動可能である。図３には、一方向側の回動端位置（以下、「作動位置」という）が実線で示され、他方向側の回転端位置（以下、「待機位置」という）が破線で示されている。なお、作動位置および待機位置は適宜の位置に設定することができる。
通常は、本体枠４０は図３に実線で示されている全閉位置に配置される（施錠される）とともに、ガラス枠６０は図３に短い破線で示されている全閉位置に配置され（施錠され）、玉排出ノズル７７ａは、図３に実線で示されている作動位置に配置される。通常の遊技中では、玉排出ノズル７７ａが作動位置から待機位置の方向に回動されることは殆どない。
一方、営業時間内や営業終了後あるいは営業開始前において、遊技盤５０の裏側（反遊技者側）の保守・点検作業（例えば、遊技盤５０の裏側に配置されている制御基板等の保守・点検作業）を行う場合には本体枠４０を開放する必要があり、遊技盤５０の表側（遊技者側）の保守・点検作業（例えば、遊技領域５２に詰まっている遊技玉を除去する作業、遊技領域５２に設けられている釘の調整作業）を行う場合にはガラス枠６０を開放する必要がある。ここで、玉排出ノズル７７ａが作動位置に配置されている状態で本体枠４０やガラス枠６０を全閉位置から開方向（図３では、時計方向）に回動させると、開閉部材が全閉位置から保守・点検作業を行うのに必要な作業回動量回動する前に（本体枠４０が全閉位置から作業開度量回動する前あるいはガラス枠６０が全閉位置から作業開度量回動する前に）玉排出ノズル７７ａがガラス枠６０と当接する。この場合、玉排出ノズル７７ａが破損しあるいは開閉部（本体枠４０やガラス枠６０）を作業回動量だけ回動させることができない（すなわち、保守・点検作業を行うことができない）。このため、開閉部（本体枠４０やガラス枠６０）を全閉位置から開方向に回動させる場合には、玉排出ノズル７７ａを作動位置から待機位置方向に回動させる待機操作が行われる。
このように、開閉部（本体枠４０やガラス枠６０）を開放する際には、玉排出ノズル７７ａを作動位置から待機位置の方向に回動させる操作が必要である。ここで、玉排出ノズル７７ａが作動位置から待機位置の方向に回動されたことは、開閉部（本体枠４０やガラス枠６０）が全閉位置から開方向に回動されたことを直接的に意味しない。しかしながら、通常、保守・点検作業を行う場合以外で玉排出ノズル７７ａが作動位置から待機位置の方向に回動されることは殆どない。特に、夜間等の遊技店の営業時間外の時間帯では、保守・点検作業等も行われない。したがって、玉排出ノズル７７ａが作動位置から待機位置の方向に回動されたことと、その時間帯を考慮することによって、開閉部（本体枠４０やガラス枠６０）が開放状態にあること、すなわち、開閉部（本体枠４０やガラス枠６０）が不正開放されたことを判別することができる。
本実施の形態では、玉排出ノズル７７ａの回動位置に基づいて開閉部（本体枠４０やガラス枠６０）の開閉状態を示す開閉信号を出力する位置検出装置８０を設けている。
【００２１】
本実施の形態の位置検出装置８０は、図４に示されているように、玉排出ノズル７７ａと連動して回動軸Ｐ３を中心として回動する回転体８１、伝達部材８２、作動部材８３、検出器８４等により構成されている。回転体８１の外周面は、開閉検出特性（好適には、開放検出特性）に応じた形状に形成される。伝達部材８２は、回転体８１と作動部材８３の間に、回動軸Ｐ３と平行な回動軸Ｐ４を中心に回動可能に設けられている。作動部材８３は、直線方向（図４では上下方向）に移動可能に構成されているとともに、ばね等の駆動力発生装置によって伝達部材８２に当接する方向（図４では下方向）の駆動力を受けている。これにより、伝達部材８２は、作動部材８３と回転体８１の外周面に鋏まれた状態で、作動部材８３が受けている駆動力と回転体８１の外周面から受ける力に基づいて回動する。すなわち、伝達部材８２は、回転体８１の外周面の形状に対応する力を作動部材８２に伝達する部材として用いられている。検出器８４は、作動部材８２の移動量を検出し、玉排出ノズル７７ａの回動量、すなわち、本体枠４０やガラス枠６０により構成される開閉部の開閉状態を示す開閉信号を出力する。
【００２２】
位置検出装置８０は、以下のように動作する。なお、本実施の形態では、玉排出ノズル７７ａが作動位置（図４に実線で示されている位置）から設定回動量θ３ｓだけ回動した開放検出位置（図４に破線で示されている位置）を境界とし、作動位置から開放検出位置に達するまでの間では開閉部が閉状態にあることを示す開閉信号を出力し。開放検出位置に達した場合には開閉部が開状態にあることを示す開閉信号を出力する。開放検出位置は、回転体８１の外周面の形状によって決定される。
いま、玉排出ノズル７７ａが実線で示す作動位置に配置されている場合には、伝達部材８２は、実線で示されている位置にあり、作動部材８３は、実線で示されているように回転体８１の方向（図４では下方向）に移動する。この場合、作動部材８３の回転体８１方向への移動量が設定値以上であるため、検出器８４は、開閉部が閉状態にある（本体枠４０およびガラス枠６０が閉状態にある）ことを示す開閉信号を出力する。
玉排出ノズル７７ａが実線で示されている作動位置から待機位置の方向（図４では時計方向）に回動する場合、図４に破線で示されている開放検出位置に達するまでは、回転体８１の外周面の形状によって作動部材８３の回転体８１方向への移動量が設定値以上であるため、検出器８４は、開閉部が閉状態にある（本体枠４０およびガラス枠６０が閉状態にある）ことを示す開閉信号を出力する。
玉排出ノズル７７ａがさらに待機方向に回動され、図４に破線で示されている開放検出位置に配置されると、回転体８１は破線で示す位置となる。この時、回転体８１の外周面の形状によって、伝達部材８２は、破線で示される位置に回動し、作動部材８３の回転体８１方向への移動量が減少する。この場合、検出器８４は、作動部材８３の回転体８１方向への移動量が設定値未満であるため、開閉部が開状態にある（本体枠４０およびガラス枠６０の少なくとも一方が開状態にある）ことを示す開閉信号を出力する。
以上のように、本実施の形態では、位置検出装置８０は、玉排出ノズル７７ａが、作動位置から待機位置の方向に設定回動量だけ回動していない場合（開放検出位置まで回動していない場合）には開閉部が閉状態にあることを示す開閉信号を出力し、玉排出ノズル７７ａが作動位置から待機方向に設定回動量だけ回動した場合（開放検出位置まで回動した場合）には、開閉部が開状態にあることを示す開閉信号を出力する。これにより、位置検出装置８０から出力される開閉信号に基づいて開閉部が開放される虞があることあるいは開閉部が開放された虞があることを判別することができる。
特に、本実施の形態では、位置検出装置８０から出力される開閉信号によって、開閉部を構成している本体枠４０およびガラス枠６０の少なくとも一方が開放される虞あるいは開放された虞があることを判別することができる。
また、遊技機２０に対応して設けられるが、遊技機に比べて交換頻度が少ない、玉貸処理機能を有する台間機７０に設けられている玉排出ノズル７７ａと位置検出装置８０によって遊技機の開閉部（本体枠４０やガラス枠６０）の開閉状態を検出するため、遊技機２０の交換毎に装置の取り付け作業を必要としない。
なお、玉排出ノズル７７ａの回動位置を検出する位置検出装置８０は、図４に示した位置検出装置に限定されず、電気式、機械式、光学式、磁気式等の種々の構成の位置検出装置を用いることができる。
【００２３】
次に、本実施の形態の遊技機の監視装置の概略ブロック図を、図５を用いて説明する。
図５に示されているように、遊技機２０に対応する台間機７０の台間端末装置７１は、通信回線を介して、島に対応する島中継装置９０と通信可能に接続されている。また各島の島中継装置９０は、通信回線を介して、管理装置１００と通信可能に接続されている。なお、図示していないが、管理装置１００がアクセス可能な管理用記憶装置が設けられている。管理用記憶装置には、各遊技者の遊技者情報を記憶する遊技者情報データベースや、各遊技機の遊技機情報を記憶する遊技機情報データベースが設けられる。遊技者情報データベースには、遊技者を示す遊技者識別情報（例えば、会員ＩＤ）や遊技者履歴情報（アウト玉数、セーフ玉数、大当たり発生回数）等を含む遊技者情報が記憶される。遊技機識別情報データベースには、遊技機を示す遊技機識別情報（例えば、遊技店内の配置位置を示す台番号）や遊技機履歴情報（機種識別情報、不正情報、遊技金額情報、大当たり発生情報）等を含む遊技機情報が記憶される。
【００２４】
前述したように、玉排出ノズル７７ａが作動位置から待機方向に回動されたことは、遊技機の開閉部が開放されたことを直接的に意味するものではない。しかしながら、夜間等の遊技店の営業時間外の時間帯では、保守・点検作業が行われないため、玉排出ノズル７７ａが作動位置から待機方向に回動された場合には、遊技機の開閉部が不正に開放されたものとみなすことができる。したがって、本実施の形態の遊技機の不正監視装置は、夜間等の遊技店の営業時間外の時間帯に、位置検出装置８０から開閉部が開状態にあることを示す開閉信号が出力された場合に、開閉部が不正に開放されたことを判別して異常処理を実行するように構成されている。
なお、営業時間外の時間帯は、種々の方法で設定することができる。例えば、営業終了後の保守・点検作業等を行った後の監視開始時間と、営業開始前の保守・点検作業を行う前の監視終了時間を設定し、監視開始時間と監視終了時間の間の時間帯を営業時間外の時間帯として設定する方法を用いることができる、なお、営業終了時間から営業開始時間までの間の時間帯を営業時間外の時間帯として設定する方法を用いることもできる。あるいは、通常、営業終了後の保守・点検作業等を行ってから営業開始前の保守・点検作業を行うまでの間の時間帯では、遊技機２０や台間機８０等への電源の供給が遮断される。そこで、遊技機２０や台間機８０等への電源の供給が遮断されているか否かを判別し、遊技機２０や台間機８０等への電源の供給が遮断されている時間帯を営業時間外の時間帯として設定する方法を用いることができる。
なお、夜間等の営業時間外の時間帯には、遊技機２０や台間機７０等への電源の供給が遮断されるため、営業時間外の時間帯に位置検出装置８０等に電源を供給するための予備電源を設ける必要がある。
【００２５】
本実施の形態の遊技機の監視装置の第１の動作を以下に説明する。なお、以下では、遊技店の営業時間外の時間帯に遊技機の開閉部が不正に開放されたこと（不正開放）を検出する動作のみを説明する。
遊技機２０に対応して設けられている台間機７０の台間端末装置７１は、位置検出装置８０から出力される開閉信号を入力し、遊技店の営業時間外の時間帯に、位置検出装置８０から開閉部が開状態にあることを示す開閉信号が出力されたか否かを判別する。そして、遊技店の営業時間外の時間帯に位置検出装置８０から開閉部が開状態にあることを示す開閉信号が出力されたことを判別した場合には、対応する遊技機２０を示す遊技機識別情報（例えば、台番号）を含む異常信号を島中継装置９０を介して管理装置１００に送信する。営業時間外の時間帯に、位置検出装置８０から開閉部が開状態にあることを示す開閉信号が出力されたことを判別する態様としては、例えば、営業時間外の時間帯であることを判別した後に、位置検出装置８０から開閉部が開状態にあることを示す開閉信号が出力されたことを判別する態様や、位置検出装置８０から開閉部が開状態にあることを示す開閉信号が出力されたことを判別した後に、営業時間外の時間帯であることを判別する態様を用いることができる。
管理装置１００は、台間端末装置７１から送信された異常信号を受信すると、異常処理を実行する。異常処理としては、異常判別信号を送信する処理や履歴情報を管理用記憶装置に記憶する処理等を用いることができる。異常判別信号を送信する処理を実行する場合、異常判別信号の出力先としては、監視カメラを駆動する監視カメラ駆動装置、遊技機２０に対応して配置されている呼出ランプ１１、警備会社、遊技店の係員等を適宜選択することができる。遊技店の係員等は、異常判別信号の受信、呼出ランプ１１の点灯等によって、営業時間外の時間帯に遊技機２０の開閉部が不正に開放された虞があることを認識し、不正開放に対する適切な処理を実行する。履歴情報を管理用記憶装置に記憶する処理を実行する場合には、例えば、開閉部が不正に開放された虞がある遊技機を示す遊技機識別情報、不正が行われた虞がある時刻を示す時刻情報等を不正履歴情報として記憶する。開閉部が不正に開放された虞がある遊技機を示す遊技機識別情報としては、例えば、異常信号に含まれている遊技機識別情報を用いることができる。開閉部が不正に開放された虞がある時刻としては、例えば、開閉部が開状態であることを示す開閉信号が位置検出装置８０から出力された時刻、台間端末装置７１から管理装置１００に異常信号を送信した時刻、管理装置１００が台間端末装置７１から異常信号を受信した時刻等を用いることができる。
【００２６】
第１の動作では、位置検出装置８０から開閉部が開状態にあることを示す開閉信号が遊技店の営業時間外の時間帯に出力されたか否かを台間端末装置７１で判別したが、管理装置１００で判別することもできる。位置検出装置８０から開閉部が開状態にあることを示す開閉信号が遊技店の営業時間外の時間帯に出力されたか否かの判別を管理装置１００が実行する、本実施の形態の遊技機の監視装置の第２の動作を以下に説明する。
遊技機２０に対応して設けられている台間機７０の台間端末装置７１は、位置検出装置８０から出力される開閉信号を入力し、開閉信号と台間機７０に対応する遊技機２０を示す遊技機識別情報（例えば、台番号）を含む監視信号を、島中継装置９０を介して管理装置１００に送信する。
管理装置１００は、台間端末装置７０から送信された監視信号を受信し、遊技店の営業時間外の時間帯に、受信した監視信号に含まれている開閉信号が開閉部が開状態にあることを示しているか否かを判別する。そして、遊技店の営業時間外の時間帯に、受信した検視信号に含まれている開閉信号が開閉部が開状態であることを示している場合には、異常処理を実行する。異常処理としては、前述した処理を用いることができる。なお、この場合、開閉部が不正に開放された虞がある遊技機を示す遊技機識別情報としては、開閉部が開状態であることを示している開閉信号を含む監視信号に含まれている遊技機識別情報を用いることができる。また、開閉部が不正に開放された虞がある時刻としては、例えば、開閉部が開状態であることを示す開閉信号が位置検出装置８０から出力された時刻、台間端末装置７１から監視装置１００に監視信号を送信した時刻、管理装置１００が台間端末装置７１から監視信号を受信した時刻等を用いることができる。
営業時間外の時間帯に、受信した監視信号に含まれている開閉信号が開閉部が開状態にあることを示していることを判別する態様としては、例えば、営業時間外の時間帯であることを判別した後に、受信した監視信号に含まれている開亜閉信号が開閉部が開状態にあることを示していることを判別する態様や、受信した監視信号に含まれている開閉信号が開閉部が開状態にあることを示していることを判別した後に、営業時間外の時間帯であることを判別する態様を用いることができる。
【００２７】
以上の実施の形態では、図１、図３に示されているように、玉排出ノズル７７ａを開閉部（本体枠４０やガラス枠６０）の回動方向と同じ方向（平行な方向）に回動可能に構成したが、図６に示すように、開閉部（本体枠４０やガラス枠６０）の回動方向と直交する方向に回動可能に構成することもできる。なお、本明細書では、「平行な方向」および「直交する方向」という記載は、「略平行な方向」および「略直交する方向」を含むものとして用いている。
図６に示す遊技機の開閉部の開閉状態検出装置の他の実施の形態では、玉排出ノズル７７ａは、開閉部（本体枠４０やガラス枠）の回動軸Ｐ１、Ｐ２と直交する方向（図６では紙面に垂直方向）の回動軸Ｐ３を中心に、開閉部（本体枠４０やガラス枠）の回動方向と直交する方向に回動可能に構成されている。例えば、玉排出ノズル７７ａは、図６に実線で示されている、玉排出口７７ｂが遊技機２０の上皿４２の上方に配置される一方向側（図６では時計方向側）の回動端位置（作動位置）と、図６に破線で示されている、他方向側（図６では反時計方向側）の回動端位置（待機位置）の間を回動可能である。
玉排出ノズル７７ａを開閉部の回動方向と平行な方向あるいは直交する方向に回動可能に構成することにより、玉排出ノズルを作動位置と開閉部の解放の妨げにならない待機位置に容易に配置することができる。また、玉排出ノズル７７ａの回動機構や位置検出装置８０として簡単な構成の回動機構や位置検出装置を用いることができる。
【００２８】
ここで、玉排出ノズル７７ａを遊技機２０の開閉部（本体枠４０やガラス枠６０）の回動方向と平行な方向に回動可能に構成した場合、玉排出ノズル７７ａを待機位置（図３の破線で示されている位置）に配置した時に、玉排出ノズル７７ａの玉排出口７７ｂ側が遊技者側に飛び出た状態になることがある。玉排出ノズル７７ａの玉排出口７７ｂ側が遊技者側に飛び出ると、玉排出ノズル７７ａが邪魔になる。
また、玉排出ノズル７７ｂを遊技機２０の開閉部の回動方向と直行する方向に回動可能に構成した場合、玉排出ノズル７７ａを待機位置（図６の破線で示されている位置）に配置した時に、回動機構や玉排出ノズル７７ａの一部が遊技機２０の開閉部（本体枠４０やガラス枠６０）の前側（遊技者側）に残ることがある。回動機構や玉排出ノズル７７ａの一部が遊技機２０の開閉部の前側（遊技者側）に残ると、開閉部の開放作業の妨げになる。
このため、玉排出ノズル７７ａを遊技機２０の開閉部（本体枠４０やガラス枠６０）の回動方向と平行な方向および直交する方向に回動可能に構成することもできる。
この場合、位置検出装置８０は、遊技機２０の開閉部の回動方向と平行な方向および直交する方向のうちの一方の方向における玉排出ノズル７７ａの回動位置に基づいて開閉信号を出力するように構成することができる。遊技機２０の開閉部の回動方向と平行な方向および直交する方向のうちの一方の方向は、玉排出ノズル７７ａの回動機構の構成等に基づいて適宜選択することができる。例えば、玉排出ノズル７７ａが、作動位置（図３に実線で示されている位置）から遊技機２０の開閉部の回動方向と平行な方向に回動して平行方向の待機位置（図３に破線で示されている位置）に配置された後、遊技機２０の開閉部の回動方向と直交する方向に回動して直交方向の待機位置（図６に破線で示されている位置）に配置されるように回動機構が構成されている場合には、位置検出装置８０は、技機２０の開閉部の回動方向と平行な方向における玉排出ノズル７７ａの回動に基づいて（一方向の回動端位置から他方向側に設定回動量回動したか否かに基づいて）開閉信号を出力するように構成することができる。
【００２９】
また、玉排出ノズル７７ａを用いて本体枠４０やガラス枠６０により構成される開閉部の開閉状態を検出したが、開閉部の開閉状態を検出する回動部材としては、玉排出ノズル７７ａに限定されず、作動位置から待機位置の方向に回動可能な回動部材であればよい。
また、開閉部の開閉状態を検出する回動部材を手動で回動させたが、開閉部の回動に連動して自動的に回動させるように構成することもできる。回動部材を開閉部の回動に連動して回動させる、遊技機の開閉部の開閉状態検出装置のさらに他の実施の形態を図７に示す。図７に示す実施の形態では、回動部材８０は、長手方向の一方端部側の回動軸Ｐ３を中心として、他方端部側を回動可能に構成されている。
また、回動部材８０の他方端部が開閉部に当接するように、回動部材８０を回動させる駆動力を発生する駆動力発生装置（図示省略）が設けられている。図７に示す実施の形態では、駆動力発生装置は、回動部材８０の他方端部が、開閉部を構成しているガラス枠６０に当接する方向（図７では、回動軸Ｐ３を中心に反時計方向）に回動させる駆動力を発生する。駆動力は、例えば、ばねの弾性力を用いて発生させることができる。本実施の形態では、回動部材８０は、開閉部（本体枠４０やガラス枠６０）の回動にともなって、回動部材８０の他方端部が開閉部（ガラス枠６０）に当接した状態で、開閉部（ガラス枠６０）に対して摺動しながら開閉部とともに回動する。
そして、位置検出装置８０は、開閉部が全閉位置に配置され（本体枠４０およびガラス枠６０が全閉位置に配置され）、回動部材８０の他方端部が開閉部（ガラス枠６０）に当接している一方向側の回動端位置（作動位置）から、他方向側（駆動力に抗する方向側）に設定開度量だけ回動した開放検出位置を境界として、回動部材８０が一方向側の回動端位置（作動位置）から他方向側に設定開度量回動していない場合には開閉部が閉状態にある（本体枠４０およびガラス枠６０が閉状態にある）ことを示す開閉信号を出力し、開閉部材８０が一方向側の回動端位置（作動位置）から他方向側に設定開度量回動した場合には開閉部が開状態にある（本体枠４０およびガラス枠６０の少なくとも一方が開状態にある）ことを示す開閉信号を出力する。回動部隊８０を開閉部の回動と連動した自動的に回動させる場合には、回動部材８０の回動方向を開閉部の回動方向と平行な方向に設定するのが好ましい。
本実施の形態では、回動部材８０が開閉部の回動に連動して回動するため、位置検出装置８０から出力される開閉信号により、開閉部の開閉状態（好適には、開放状態）を確実に検出することができる。また、開閉部を開放させる場合に回動部材８０を手動で回動させる操作が不要となる。
【００３０】
また、管理装置１００が異常処理を実行する場合について説明したが、台間端末装置７１が異常処理を実行するように構成することもできる。例えば、台間端末装置７１は、遊技店の営業時間外の時間帯に、位置検出装置８０から出力される開閉信号が開閉部が開状態にあることを示した場合には異常処理を実行する。なお、位置検出装置８０の検出器８４に異常処理を実行させることもできる。
台間機７０側で、遊技店の営業時間外の時間帯に、開閉信号が開閉部が開状態にあることを示した場合に異常処理を実行する台間端末装置７１や検出器８４が本発明の「判別装置」に対応する。
【００３１】
また、実施の形態では遊技機の開閉部が不正に開放されたことを監視する遊技機の監視装置として構成したが、本発明は、遊技機の開閉部の開閉状態を検出する遊技機の開閉部の開閉状態検出装置として構成することもできる。この場合には、例えば、「回動部材と位置検出装置を備え、位置検出装置は、回動部材が一方向側の回動端位置（作動位置）から他方向側（待機方向側）に設定回動量回動していない場合には開閉部が閉状態にあることを示す開閉信号を出力し、設定回動量以上回動している場合には開閉部が開状態にあることを示す開閉信号を出力することを特徴とする開閉部の開閉状態検出装置。」として構成することができる。
【００３２】
本発明は、実施の形態で説明した構成に限定されず、種々の変更、追加、削除が可能である。
例えば、位置検出装置８０としては、種々の検出方式、種々の構成の検出装置を用いることができる。
遊技機の基部に回動可能に設けられている第１の開閉部（本体枠４０）と第１の開閉部に回動可能に向けられている第２の開閉部（ガラス枠６０）により構成される開閉部を有する遊技機について説明したが、本発明の開閉部の開閉状態検出技術や開閉部の監視技術は、種々の構成の開閉部や種々の数の開閉部を有する遊技機に適用することができる。開閉部の構成や数に応じて、回動部材や位置検出装置の構成は適宜変更される。
台間機７０としては、玉貸処理機能を有する台間機に限定されず、種々の機能を有する台間機を用いることができる。
台間機７０として玉貸処理機能を有する台間機（台間玉貸機）を用いたが、台間機としては、遊技機に対応して設けられ、遊技機に比べて交換頻度が少ない種々の構成の台間機を用いることができる。
実施の形態で説明した各構成は、単独で用いることもできるし、適宜選択した複数の構成を組み合わせて用いることもできる。
遊技機の一種であるパチンコ機の開閉部の開閉状態を検出する場合について説明したが、本発明は、パチンコ機以外の種々の型式の遊技機の開閉部の開閉状態を検出する場合に用いることができる。
【図面の簡単な説明】
【００３３】
【図１】本発明の遊技機の開閉部の開閉状態検出装置の一実施の形態および本発明の遊技機の不正監視装置の一実施の形態の概略構成を示す図である。
【図２】遊技機の一例であるパチンコ機の斜視図である。
【図３】本発明の遊技機の開閉部の開閉状態検出装置の一実施の形態を説明する図である。
【図４】本発明の遊技機の開閉部の開閉検出装置の一実施の形態で用いる位置検出装置の構成を示す図である。
【図５】本発明の遊技機の不正監視装置の一実施の形態の概略ブロック図である。
【図６】本発明の遊技機の開閉部の開閉状態検出装置の他の実施の形態を説明する図である。
【図７】本発明の遊技機の開閉部の開閉状態検出装置のさらに他の実施の形態を説明する図である。
【符号の説明】
【００３４】
１０  島枠
１１  呼出ランプ
２０  パチンコ機
３０  基枠
４０  本体枠
４１  発射ハンドル
４２  上皿
４３  下皿
５０  遊技盤
６０  ガラス枠
７０  台間機
７１  台間端末装置
７２  紙幣検出装置
７２ａ  紙幣投入口
７３  硬貨検出装置
７３ａ  硬貨投入口
７４  カード情報読取／書込装置
７４ａ  カード挿入口
７５  入力装置
７６  表示装置
７７  排出制御装置
７７ａ  玉排出ノズル（回動部材）
７７ｂ  玉排出口
８０  位置検出装置
８１  回転体
８１ａ  外周面
８２  伝達部材
８３  作動部材
８４  検出器
９０  島中継装置
１００  管理装置
Ｐ１、Ｐ２、Ｐ３、Ｐ４  回動軸
【図１】
2009112639.tif 000003
【図２】
2009112639.tif 000004
【図３】
2009112639.tif 000005
【図４】
2009112639.tif 000006
【図５】
2009112639.tif 000007
【図６】
2009112639.tif 000008
【図７】
2009112639.tif 000009